(57)【要約】【課題】フィルタの目詰まりが起こりにくく、給水ポンプも壊れにくいノロ水の上澄み吸引濾過装置。【解決手段】ノロ水を回収するための密閉された第１容器１と、第１容器１の内部に設置されて上部は閉じられ、底部にはフィルタを備えた第２容器２と、第２容器２と連結管路８を介して連結され、第２容器２で濾過された濾過水を溜める密閉された第３容器３とを備え、第１容器１を第１の負圧発生装置４ａに、第３容器３を第２の負圧発生装置４ｂに各々連結するとともに、第１容器１の負圧Ｐ１を第３容器３および第２容器２の負圧Ｐ２より高く設定し、第１の負圧発生装置４ａにより第１容器１に回収されたノロ水を、第２の負圧発生装置４ｂにより第２容器２の底部のフィルタ６を介して第２容器２から第３容器３に吸引する。【選択図】図１
2007160179.tif 000002
【特許請求の範囲】
【請求項１】
ノロ水を回収するための密閉された第１容器と、第１容器の内部に設置されて上部は閉じられ、底部にはフィルタを備えた第２容器と、第２容器と連結管路を介して連結され、第２容器で濾過された濾過水を溜める密閉された第３容器とを備え、第１容器を第１の負圧発生装置に、第３容器を第２の負圧発生装置に各々連結するとともに、第１容器の負圧Ｐ１を第３容器および第２容器の負圧Ｐ２より高く設定し、第１の負圧発生装置により第１容器に回収されたノロ水を、第２の負圧発生装置により第２容器の底部のフィルタを介して第２容器から第３容器に吸引する
ことを特徴とするノロ水の上澄み吸引濾過装置。
【請求項２】
ノロ水を回収するための第１容器と、第１容器の内部に設置されて上部は閉じられ、底部にはフィルタを備えた第２容器と、第２容器と連結管路を介して連結され、第２容器で濾過された濾過水を溜める密閉された第３容器とを備え、
ノロ水供給源と第１容器とを連結する連結管路を開閉可能とし、この開閉部の上流側を第１の負圧発生装置に、上記第３容器を第２の負圧発生装置に各々連結するとともに、第１容器の負圧Ｐ１を第３容器および第２容器の負圧Ｐ２より高く設定し、
第１の負圧発生装置により吸引されたノロ水を上記開閉部に溜めた後に上記開閉部を開放して第１容器に回収し、このノロ水を、第２の負圧発生装置により第２容器の底部のフィルタを介して第２容器から第３容器に吸引する
ことを特徴とするノロ水の上澄み吸引濾過装置。
【請求項３】
上記第１容器の内側に、ノロ水を回収するための上部が開放された回収容器を配置し、回収容器の内側に上記第２容器を配置したことを特徴とする、請求項１又は２に記載のノロ水の上澄み吸引濾過装置。
【発明の詳細な説明】
【技術分野】
【０００１】
本発明は、岩石、コンクリート穿孔・切削するドリル工具を冷却した冷却水が流れ落ちて汚濁したノロ水を回収して濾過し、再び冷却水として利用するためのノロ水の上澄み吸引濾過装置に関するものである。
【背景技術】
【０００２】
一般に、岩石、コンクリート等を穿孔するドリル工具は冷却水で冷却されるが、冷却水を有効に再利用するための回収濾過装置が知られている。その装置の１つが特許文献１に示されている。
【０００３】
流れ落ちた冷却水は穿孔屑を含んで汚濁したノロ水となるので、このようなノロ水を再び使用できるようにするためには、濾過する必要がある。従来のノロ水の濾過装置は、給水ポンプでノロ水を吸い上げ、そのままフィルタに押し付けて加圧することにより濾過する技術であった。
【特許文献１】特開平１１−３１１０８３号公報
【発明の開示】
【発明が解決しようとする課題】
【０００４】
しかし、ノロ水を直接に給水ポンプで吸い上げると中に含まれる穿孔屑や粉塵が給水ポンプの構成部品を破損させることがあり、またフィルタは、回収されたノロ水の中に常時漬かっているため、フィルタの目詰まりが起こりやすく、タンクの中には大量のノロ水が残り掃除が大変である。
【０００５】
また、２個以上の気密、液密な密閉容器を必要とするので高価なものにならざるを得なかった。
【０００６】
本発明は、上記問題点を解消し、フィルタの目詰まりが起こりにくく、濾過効率を向上させることができるノロ水の上澄み吸引濾過装置を提供することを第１の課題とし、さらに気密、液密な密閉容器を少なくすることもできるノロ水の上澄み吸引濾過装置を提供することを第２の課題とする。
【課題を解決するための手段】
【０００７】
前記第１の課題を解決するため、請求項１に係る発明は、ノロ水を回収するための密閉された第１容器と、第１容器の内部に設置されて上部は閉じられ、底部にはフィルタを備えた第２容器と、第２容器と連結管路を介して連結され、第２容器で濾過された濾過水を溜める密閉された第３容器とを備え、第１容器を第１の負圧発生装置に、第３容器を第２の負圧発生装置に各々連結するとともに、第１容器の負圧Ｐ１を第３容器および第２容器の負圧Ｐ２より高く設定し、第１の負圧発生装置により第１容器に回収されたノロ水を、第２の負圧発生装置により第２容器の底部のフィルタを介して第２容器から第３容器に吸引することを特徴とする。
【０００８】
前記第２の課題を解決するため、請求項２に係る発明は、ノロ水を回収するための第１容器と、第１容器の内部に設置されて上部は閉じられ、底部にはフィルタを備えた第２容器と、第２容器と連結管路を介して連結され、第２容器で濾過された濾過水を溜める密閉された第３容器とを備え、ノロ水供給源と第１容器とを連結する連結管路を開閉可能とし、この開閉部の上流側を第１の負圧発生装置に、上記第３容器を第２の負圧発生装置に各々連結するとともに、第１容器の負圧Ｐ１を第３容器および第２容器の負圧Ｐ２より高く設定し、１の負圧発生装置により吸引されたノロ水を上記開閉部に溜めた後に上記開閉部を開放して第１容器に回収し、このノロ水を、第２の負圧発生装置により第２容器の底部のフィルタを介して第２容器から第３容器に吸引することを特徴とする。
【０００９】
請求項３に係る発明は、上記請求項１又は２において、上記第１容器の内側に、ノロ水を回収するための上部が開放された回収容器を配置し、回収容器の内側に上記第２容器を配置したことを特徴とする。
【発明の効果】
【００１０】
請求項１に係る発明によれば、第１の負圧発生装置により第１容器を負圧にし、ノロ水を回収する。回収が進むとその上澄み液の水面がだんだん上がってきて、第２容器底部のフィルタを越えると濾過できる状態になる。負圧発生装置により第３容器および第２容器内の圧力を第１容器の負圧よりも低くすることにより、第１容器内のノロ水はフィルタを通り、濾過されて第２容器内に吸引され、さらに、連結管路を通って第３容器に溜まる。
【００１１】
このように、第２容器の底部に設けられたフィルタは、第１容器のノロ水の上澄みを濾過する構成である。ノロ自体は沈殿してフィルタには付着しにくいので、フィルタの目詰まりが起こりにくい。そして、給水ポンプは濾過水を送ることになるために、部品が損傷したり、壊れたりしにくい。
【００１２】
さらに、常に穿孔機器と負圧発生装置を連結する連結管路内の気密が保たれるため、ノロ水を、壊れやすい給水ポンプ等を用いることなく上澄み吸引濾過装置に供給することができる。
【００１３】
請求項２に係る発明によれば、第１の負圧発生装置によりノロ水供給源に続く連結管路は負圧になり、閉じられた部位にノロ水が溜まる。一定量が溜まったら、連結管路を開放することによりノロ水は第１容器に送られる。再び連結管路を閉じてノロ水を溜めては開いて第１容器に送る。これを繰り返すと、第１容器のノロ水は第２容器の底部を越える。そこで、第２の負圧発生装置を作動させることにより、第１の発明の場合と同様に、第１容器内のノロ水はフィルタを通り、濾過されて第２容器内に吸引され、さらに、連結管路を通って第３容器に溜まる。
【００１４】
したがって、請求項１に係る発明の場合と同様に、フィルタの目詰まりが起こりにくく、第３容器からの給水ポンプの部品損傷などが防止されるとともに、ポンプによることなくノロ水を第１容器に回収することができる。
【００１５】
さらに、気密、液密の密閉容器は第３容器だけでよく、第１容器と第２容器は密閉する必要がないので、コストを低く抑えることができる。
【００１６】
請求項３に係る発明によれば、第１容器に回収されたノロ水のノロは回収容器に回収され、第１容器を開放して、回収容器を外に出して容易に廃棄等の処理して第１容器の清掃作業を容易にすることができる。
【発明を実施するための最良の形態】
【００１７】
以下、図面によって本発明に係るノロ水の上澄み吸引濾過装置を図１の概略図に基づいて説明する。
【００１８】
まず、第１の実施形態について説明する。同図において符号１は第１容器を示す。第１容器１は、ノロ水１０の回収容器であって気密、液密となるように密閉され、上部には穿孔現場からのノロ水１０の回収手段が形成されている。また、第１容器１は第１の負圧発生装置４ａに連結されている。
【００１９】
なお、第１容器１の内側には内側容器として回収容器５が配置されている。
【００２０】
次に、第１容器１の内部には、第２容器２が配置されている。第２容器２の上部は閉じられ、底部にはフィルタ６が配置されている。
【００２１】
次に、第３容器３は、濾過水の貯水容器で、気密、液密となるように密閉され、上記第２容器２は連結管路７を介して第３容器３に連結されている。また、第３容器３には、穿孔現場などで使用されるドリル工具などの接続機器に濾過水を供給する給水ポンプ９が設けられている。また、第３容器３は第２の負圧発生装置４ｂに連結されている。
【００２２】
上述の構成において、第１の負圧発生装置４ａにより第１容器１を負圧Ｐ１にし、この状態でノロ水１０を回収する。ノロ水１０は第１容器１に溜まり、時間の経過につれてノロ１０ｂの部分は底部に沈殿していく。ノロ水１０の回収が進むとその水面がだんだん上がってきて第２容器２の底部のフィルタ６を越えると濾過できる状態になる。この段階で第２の負圧発生装置４ｂにより第３容器３を負圧Ｐ２にする。すると、第３容器３と連結管路７で連結されている第２容器２も負圧Ｐ２となる。第１容器１の負圧（圧力）Ｐ１を第２容器2及び第３容器３の負圧（圧力）Ｐ２をより高くすることにより、つまり各容器の圧力をＰ２＜Ｐ１＜大気圧とすることにより、第１容器１内のノロ水１０はまずフィルタ６を通り濾過されて第２容器２内に吸引される。吸引されるのはノロ水の上澄み１０ａである。そして、さらに連結管路７を通って第３容器３内に吸引されて溜まる。この状態で給水ポンプ９を作動させると、第３容器３内の濾過水はふたたび穿孔現場に戻され、コアドリルなどの接続機器に供給される。
【００２３】
以上のようにフィルタ６は、ノロ水１０の上澄み１０ａだけを吸引して濾過するので、目詰まりしにくく、給水ポンプ９も濾過された水が通るので壊れにくい。
【００２４】
なお、第１容器１の底部に沈殿したノロ１０ｂは、回収容器５に回収され、第１容器１を開放することにより回収袋とともに外に出して容易に廃棄等の処理をすることができる。
【００２５】
次に、第２の実施形態について図２および図３で説明する。本実施形態では、基本的構成は上記の第１の実施形態と同じであるが、第１容器１にノロ水１０を回収する機構に特徴を有する点、および、上記第１容器１には負圧発生装置は連結されておらず、第１容器１は開放されており、第１容器１内の圧力Ｐ１は大気圧である点が異なる。
【００２６】
図２に示すように、第１容器１にノロ水１０を回収する手段として、第１の負圧発生装置４ａを用いる。ノロ水１０の発生する穿孔現場（ノロ水供給源）と第１容器１とを連結する連結管路８の端部に大径の管路１１が垂直に設けられ、大径管路１１の下端は、第１容器１の底部に開口している。大径管路１１の内部には開閉蓋１２が開閉自在に配置されていて、開閉蓋１２が閉じられているとき大径管路１１の内面と開閉蓋１２はシールされ、連結管路８は気密が保たれる。そして、開閉蓋１２の上流側は第１の負圧発生装置４ａに連結されている。
【００２７】
次に、図３によりノロ水１０の回収動作を説明する。上述の構成において、まず、図３（ａ）に示すように、上記大径管路１１内の開閉蓋１２を閉じた状態で第１の負圧発生装置４ａにより穿孔現場間の連結管路８を負圧にする。これにより、ノロ水１０は大径管路１１内に流入し開閉蓋１２の上部に溜まる。そして、所定量のノロ水１０が溜まった後に、図３（ｂ）に示すように、図示しない駆動装置により開閉蓋１２を開放し、ノロ水１０を第１容器内に流下させる。ノロ水１０の上面が第２容器２のフィルタ６を越えた後、図３（ｃ）に示すように第１容器のノロ水１０の上面が大径管路１１の最下部よりも高い状態にあるときは、ノロ水１０が開閉蓋１２の役割を果たし、連結管路８内の気密は保たれるため、開閉蓋１２は開いたままの状態とし、第１容器１へのノロ水１０の回収を継続的に行う。
【００２８】
ノロ水１０の上面が大径管路１１の最下部より低くなり、図３（ｄ）の状態になると、連結管路８内の気密が保てなくなるため、濾過が進んで大径管路１１の最下部より若干高い位置までノロ水１０の上面が下がった時点で開閉蓋１２を閉じ、開閉蓋１２の上部にノロ水１０が所定量溜まるまでこの状態で回収を続ける。このような大径管路１１内の開閉蓋１２の開閉動作を繰り返し行うことにより、第１容器１へのノロ水１０の回収を行う。
【００２９】
次に、第１容器１に溜まったノロ水１０の濾過については、基本的には第１の実施形態と同じ方式にて行う。すなわち図２において、第１容器の濾過水上面が第２容器２底部のフィルタ６を越えた段階で、第３容器３を負圧発生装置４ｂにて負圧Ｐ２とし、第３容器３と連結管路７で連結している第２容器２についても負圧Ｐ２とする。第１容器１内の圧力Ｐ１は大気圧であるため、第１容器１内のノロ水１０の上澄み１０ａはフィルタ６を通って濾過されて第２容器２内に吸引され、さらに連結管路７を通って第３容器３内に吸引される。この状態で給水ポンプ９を作動させると、第３容器３内の濾過水はふたたび穿孔現場に戻され、コアドリルなどの接続機器に供給される。
【００３０】
上記構成によれば、穿孔機器からのノロ水１０の回収を、給水ポンプを用いることなく行うことができるため、高低差のある穿孔現場において、ノロ水１０の上澄み回収濾過装置の設置位置に自由度をもたせることができ、給水ポンプを使用することによるポンプの故障も防止することができる。
【００３１】
また、フィルタ６は、ノロ水１０の上澄み１０ａだけを濾過するので、目詰まりしにくく、給水ポンプ９も濾過された水が通るので壊れにくい。
【００３２】
なお、第１容器１の底部に沈殿したノロ１０ｂは、回収容器５としての回収袋に回収され、第１容器１を開放することにより回収袋とともに外に出して容易に廃棄等の処理をすることができる。
【００３３】
さらに、本実施形態によれば、第１容器１は密閉する必要がなく、気密、液密な密閉容器は第３容器４の１個だけで済むのでコストを低く抑えることができる。
【００３４】
なお、上記実施形態では第２容器２から第３容器３へ濾過水を送るのに、第３容器３に連結した第２負圧発生装置４ｂで実施しているが、この第２負圧発生装置４ｂの代わりに、連結管７に供給ポンプ等の加圧発生装置を設けて実施してもよい。また、実施例では負圧発生装置を２個利用しているが、１個で共用または複数個の負圧発生装置を利用してもよい。
【図面の簡単な説明】
【００３５】
【図１】ノロ水の上澄み濾過装置の第１の実施形態の構成概略図である。
【図２】ノロ水の上澄み濾過装置の第２の実施形態の構成概略図である。
【図３】（ａ）〜（ｄ）は大径管路の開閉蓋の動作説明図である。
【符号の説明】
【００３６】
１      第１容器
２      第２容器
３      第３容器
４ａ    第１の負圧発生装置
４ｂ    第２の負圧発生装置
６      フィルタ
７、８  連結管路
９      給水ポンプ
１０    ノロ水
１２    開閉蓋
【図１】
2007160179.tif 000003
【図２】
2007160179.tif 000004
【図３】
2007160179.tif 000005